(57)【要約】【課題】レンズを収納容器へ収容する時は短時間で簡便に収容可能でコスト低減でき、移送先での人手に頼って取り出しをおこなう側では、個々のレンズが安定した姿勢で傷等の問題がなく、取り出しを容易にできるレンズ収納容器及びレンズ収納方法を得る。【解決手段】容器を射出成形で形成し、容器に着脱可能な閉塞部材とを有し、容器の表面はレンズ保持のための複数の溝部を有し、溝部は一方の側端部で閉塞し、他方の側端部は開放された形状で、閉塞部材は溝部の開放された側端部を略閉塞するレンズ収納容器とする。【選択図】        図２
2004238001.tif 000002
【特許請求の範囲】
【請求項１】
複数のレンズを載置する容器であり、該容器を積層することにより該レンズを積層方向に挟持するレンズ収納容器であって、
該容器と、該容器に着脱可能な閉塞部材とを有し、
該容器の表面はレンズ保持のための複数の溝部を有し、該溝部は一方の側端部で閉塞し、他方の側端部は開放されて形成されており、
該閉塞部材は該溝部の開放された側端部を略閉塞することを特徴とするレンズ収納容器。
【請求項２】
複数のレンズを載置する容器であり、該容器を積層することにより該レンズを積層方向に挟持するレンズ収納容器であって、
該容器は射出成形により形成され、
該容器の表面はレンズ保持のための複数の溝部を有し、該溝部は一方の側端部で閉塞し、他方の側端部は開放された形状であることを特徴とするレンズ収納容器。
【請求項３】
前記容器は、導電性を有する材料で形成されていることを特徴とする請求項１又は２に記載のレンズ収納容器。
【請求項４】
前記容器のうち、少なくとも積層する際に前記溝部との間で前記レンズを挟持する面はマット加工されていることを特徴とする請求項１〜３のいずれか１項に記載のレンズ収納容器。
【請求項５】
前記容器と前記閉塞部材は異なる色又は異なる濃度で形成されていることを特徴とする請求項１、３又は４のいずれか１項に記載のレンズ収納容器。
【請求項６】
複数のレンズを載置する溝部を有する容器を用いたレンズ収納方法において、
該溝部の上面を一時的に略閉塞する工程と、
該溝部の開放された側端部からレンズを挿入する工程と、
該溝部の開放された側端部を閉塞する工程と、
該容器を積層する工程とを有することを特徴とするレンズ収納方法。
【請求項７】
前記レンズを挿入する工程は、重力を利用することを特徴とする請求項６に記載のレンズ収納方法。
【発明の詳細な説明】
【０００１】
【発明の属する技術分野】
本発明は、多数の光学レンズを移送又は保管するための収納容器、特に積層することにより容器と蓋とに同一の容器を使用するレンズ収納容器に関するものである。
【０００２】
【従来の技術】
従来より、プラスチック材料を射出成形して光学レンズとする技術があり、この技術を用いてレンズを短時間で大量に、安価に生産できるようになっている。この技術で生産されたレンズは、特に、ＣＤやＤＶＤ等の記録、又は再生用の光ピックアップ用の光学ユニット内で使用されており、直径５ｍｍ前後の非常に小径で軽量なものである。
【０００３】
これらのレンズは成形した後、必要に応じ所望のコーティングが施される。この後、光学ユニットを組み立てる製造工程や他の光学ユニット製造メーカーへ移送されることになる。
【０００４】
この移送時には、ねじやバネのような一般部品と異なりレンズ面に傷、ゴミ等で有効光学面を損傷しないようにしたレンズ収納容器が種々用いられている。
【０００５】
このレンズ収納容器として、以下のようなものがある。
（１）熱可塑性シートを真空成形で製作した容器で、レンズ保持のための複数の溝部があり、この溝部は一方の側端部で閉塞し、他方の側端部は開放された形状で、この溝部にレンズを収容し、熱可塑性シートを真空成形した蓋で開放された側端部と上面を閉塞するもの。
【０００６】
（２）射出成形で製作したトレイ状の容器に、レンズ外径に対応して複数の凹部を個々に設け、この個々の凹部にレンズを収容し、同トレイ状の容器を積層することで蓋を兼用するもの。
【０００７】
（３）トレイ状の容器に、レンズ外径に対応して複数の凹部を個々に設け、この個々の凹部にレンズを収容し、容器上面に各レンズを挟持するための蓋部材をかぶせるものがある（例えば、特許文献１参照）。
【０００８】
【特許文献１】
特開２００１−３４８０８０号公報
【０００９】
【発明が解決しようとする課題】
近年、ＣＤやＤＶＤ等の記録、又は再生用機器の生産数量の増大に伴い、これらに内蔵される光ピックアップ用の光学ユニット製造メーカーは多岐にわたるようになってきた。これらの製造メーカーは、移送された収納容器を開封し個々のレンズを取り出す時、自動機により取り出しを行う所と人手に頼って取り出しを行う所の２種に大別される。
【００１０】
これらの取り出し方のうち、人手に頼って取り出しを行う製造メーカーに移送する場合、上述のレンズ収納容器には、以下のような不具合がある。
【００１１】
（１）の熱可塑性シートを真空成形したものは、寸法精度を出すのが困難でかつ形状的に角部に丸みがつくため、上述の小径レンズの有効光学面に触れないようフランジ部を受けることにより溝部に並べて収容しようとすると、個々のレンズが安定しない欠点がある。
【００１２】
更に、レンズ収容時や蓋をする前に、容器を不用意に取り扱うと、その柔軟さ故に、個々のレンズが溝部内でバラバラになったり、弾け飛んだり、種々の姿勢となってしまう。レンズ取り出し時に、同様のことが起こると取り出しにくくなるばかりか、取り出し時にレンズを傷つけてしまうという問題がある。
【００１３】
更にまた、蓋の無い状態で、容器を置く場所が傾いたり、手荒に容器を扱うと開放された側端部からレンズがすべてこぼれ落ちてしまうという欠点もある。
【００１４】
また、（２）及び（３）に記載した容器は、剛性があり且つ、個々のレンズがそれぞれ凹部に収納されているため、光学ユニット製造メーカー側での取り出し時は上記（１）の問題は無いが、レンズを生産する側でレンズを収納容器へ収容する時、１個ずつ凹部へ収容するため多大な時間を必要とし、このためコスト増となる問題があった。
【００１５】
本発明は上記問題に鑑み、レンズを生産する側でレンズを収納容器へ収容する時は短時間で簡便に収容可能でコスト低減でき、移送先での人手に頼って取り出しを行う光学ユニット製造メーカー側では、個々のレンズが安定した姿勢で傷等の問題がなく、取り出しを容易にできるレンズ収納容器及びレンズ収納方法を得ることを目的とするものである。
【００１６】
【課題を解決するための手段】
上記の目的は、複数のレンズを載置する容器であり、該容器を積層することにより該レンズを積層方向に挟持するレンズ収納容器であって、該容器と、該容器に着脱可能な閉塞部材とを有し、該容器の表面はレンズ保持のための複数の溝部を有し、該溝部は一方の側端部で閉塞し、他方の側端部は開放されて形成されており、該閉塞部材は該溝部の開放された側端部を略閉塞することを特徴とするレンズ収納容器、とすることで達成される。
【００１７】
即ち、開放された溝部の側端部を閉塞する閉塞部材を着脱可能とすることで、レンズ収容後に閉塞部材を装着し、蓋の無い状態で容器を置く場所が傾いたり、手荒に容器を扱ってもレンズが容器からこぼれ落ちてしまう問題を解消できる。
【００１８】
また、複数のレンズを載置する容器であり、該容器を積層することにより該レンズを積層方向に挟持するレンズ収納容器であって、該容器は射出成形により形成され、該容器の表面はレンズ保持のための複数の溝部を有し、該溝部は一方の側端部で閉塞し、他方の側端部は開放された形状であることを特徴とするレンズ収納容器、とすることでも達成される。
【００１９】
即ち、射出成形により容器を剛体とすることで、レンズを容器に収容する時や容器からレンズを取り出す時に容器を不用意に取り扱われても、個々のレンズが溝部内でバラバラになったり、弾け飛ぶ問題を解消することが可能となる。
【００２０】
更に、十分な寸法精度で容器を製作でき且つ必要に応じエッジ部の形成が可能なため、小径のレンズの光学有効面以外の部分を確実に保持することが可能となる。
【００２１】
また本発明の容器は、導電性を有する材料で形成されていること、少なくとも積層する際に溝部との間でレンズを挟持する面はマット加工されていること、とすることが好ましい。即ち、収納容器の帯電を防止することにより、レンズが上面側に吸着されることを防止しつつ、埃等の吸着を最小限に抑え、移送中や長期保存時の管理が容易にできるようになる。
【００２２】
更にまた、本発明の容器と閉塞部材は異なる色又は異なる濃度で形成されていること、が好ましい。即ち、閉塞部材の有無を確実に視認でき、装着忘れの防止が可能になる。
【００２３】
更に、複数のレンズを載置する溝部を有する容器を用いたレンズ収納方法において、該溝部の上面を一時的に略閉塞する工程と、該溝部の開放された側端部からレンズを挿入する工程と、該溝部の開放された側端部を閉塞する工程と、
該容器を積層する工程とを有することを特徴とするレンズ収納方法、とすることでも達成される。
【００２４】
即ち、溝部の上面を一時的に閉塞し、溝部側端部からレンズを連続的に流し込むことにより短時間でレンズの収容が可能となり、ひいてはコストダウンが可能となる。
【００２５】
また本発明のレンズ収納方法においては、レンズを挿入する工程は、重力を利用すること、が好ましい。即ち、特別の付勢力装置を用意しなくとも連続的なレンズの流し込みを可能とできる。
【００２６】
【発明の実施の形態】
以下、実施の形態により本発明を詳しく説明するが、本発明はこれに限定されるものではない。
【００２７】
図１は、本発明のレンズを収容するトレイ状の容器１１の一例を示した図である。図１（ａ）は上面図（表面）、図１（ｂ）は図１（ａ）のＶ−Ｖで切断した断面図を示し、図１（ｃ）は図１（ａ）のＨ−Ｈで切断した断面図を示している。
【００２８】
同図において、容器１１は一段盛り上がった面１２に、レンズを保持する溝部１３を有し、本例はこの溝部が１０本形成されたものである。この複数の溝部１３は、図示のように一方の側端部（図示上側）で閉塞しており、他方の側端部（図示下側）では開放された形状となっている。この一段盛り上がった面１２の周囲にある低い面１４には、４箇所にボス１５、２箇所の角穴１６が設けられている。更に外周には４箇所のゴム掛け用の凹部１７、角部には積層時の方向あわせのための目印である大きなＣ面１８が形成されている。
【００２９】
また図示しないが、容器１１の裏面には、この容器をＣ部をあわせて積層した時、ボス１５に嵌め合う穴部が設けられている。
【００３０】
図２は、容器１１にレンズが収容された状態を示す図である。図２（ａ）は上面図（表面）、図２（ｂ）は図２（ａ）のＶ−Ｖで切断した断面図である。
【００３１】
同図において、２２は溝部１３に載置されたレンズであり、図示のように溝部１３に径が接するように連続して収容される。このようにレンズを各溝部１３に所定量載置した後、溝部１３の開放された側端部（図示下側）に閉塞部材２１が取り付けられる。この閉塞部材２１は、２箇所に突起部２１ｂを有し、この突起部２１ｂを角穴１６（図１参照）に嵌入することで着脱可能に固定されるようになっている。
【００３２】
この閉塞部材２１により、開放された溝部を閉塞し、作業時に容器１１が少々傾いたとしても載置されたレンズはこぼれ落ちることがなくなり、レンズ収容作業及び開封してのレンズ取り出しの作業性に優れたものとすることができる。
【００３３】
図３は、容器１１の溝部１３の要部断面拡大図である。同図に示すように、溝部１３はレンズ２２の光学有効面２２ｋの外側に形成されたフランジ部２２ｆを、溝部１３に形成された段部１３ｄで受けて、支持するようになっている。また、容器１１は、例えばポリスチレン等のプラスチック材料で射出成形により一体的に製作される。この射出成形により容器１１は剛体となり、段部１３ｄは、寸法を正確に出すことができ、更に角に丸みのつかないエッジとすることができる。
【００３４】
これによりレンズを容器に収容する時や容器からレンズ取り出す時に容器を不用意に取り扱われても、個々のレンズが溝部内で種々の姿勢となる問題を解消することが可能となる。同時に小径のレンズの光学有効面以外の部分を確実に保持することが可能となる。
【００３５】
同図において、レンズ２２のフランジ面外周と溝のクリアランスをＳ１とし、段部１３ｄのエッジ部とレンズ２２の光学有効面とのクリアランスをＳ２とした時、
Ｓ２＞Ｓ１
を満足するよう設定しておけば、容器１１内部でレンズ２２が摺動しても光学有効面２２ｋには接触せず傷を防止することができる。
【００３６】
また、容器１１はその表面抵抗値が１０９Ω以下となるような導電性を有する材料で形成することが望ましい。これにはカーボンを混入または練り込んだプラスチック材料を使用することで可能となる。これにより、容器１１が帯電することを防止でき、容器１１及びレンズ２２への埃等の吸着を最小限に抑え、移送中や長期保存時の管理が容易になる。
【００３７】
更に、容器１１と閉塞部材２１は異なる色又は異なる濃度で形成され、容器１１の濃度は閉塞部材２１より濃く形成されることが望ましい。例えば、容器１１としては、黒、紺、紫等が良く、特に容器１１が黒または濃灰色で閉塞部材２１が白が最も望ましい。これにより閉塞部材２１の装着の有無を確実に視認でき、装着忘れの防止が可能になる。また透明のレンズに対し容器１１が黒に近い濃色であると、レンズのゲート位置等の視認が容易で、取り出し作業時の作業性を向上させることができる。
【００３８】
図４は、レンズを載置した容器と、同一の容器を積層した時のＨ−Ｈ線（図１参照）で切断した断面図である。同図は、同一の容器を積層することにより、各溝部に収容されたレンズを挟持した状態を示したものである。
【００３９】
図５は、同様にレンズを載置した容器と、同一の容器を積層した時のＶ−Ｖ線（図１参照）で切断した断面図である。同図は、同一の容器を積層することにより、各溝部に収容されたレンズを挟持した状態を示したものである。
【００４０】
更に同図において、容器１１の裏面側、即ち溝部との間でレンズを挟持する面はマット加工が施されている。このマット加工は深さ１〜１００μｍで凹凸間隔が２〜２００μｍが望ましい。このマット加工を施すことにより開封時にレンズが裏面側に吸着されることを防止することができる。
【００４１】
なお、図４及び図５では容器１１を２枚積層して示したが、通常はレンズを収容した容器１１を多数積層し、最上段にレンズを載置していない容器を積層するものである。
【００４２】
次に、以上説明した容器へレンズを収容、載置する方法について説明する。
図６は、容器１１へレンズを収容するための治具６１の図である。同図において、治具本体６２と上面蓋６３は蝶番６４で結合され、上面蓋６３は蝶番６４により開閉可能になっている。また本体６２は、容器１１を矢印方向に装填可能な傾斜した装填部６５が設けられている。
【００４３】
まず上面蓋６３を開き、容器１１を装填部６５に沿って図示矢印方向へ装填する。この時、容器１１のＣ面１８を下方とし、溝部１３を上方にして装填する。この結果、溝部１３の開放された側端部が上方に位置するようになる。この後、上面蓋６３を閉じる。なお上面蓋６３は、装填された容器や収容されたレンズを確認可能とするために透明な材料で形成されていることが望ましい。即ち、この上面蓋６３は、容器１１の溝部１３の上面を一時的に閉塞するものである。
【００４４】
図７は、治具６１に容器１１が装填され上面蓋６３を閉じた状態の断面図である。上面蓋６３には、突起部６３ｔが各溝部１３に対応して設けられており、図示のように溝部１３内部に突出した状態とされる。
【００４５】
この突起部６３ｔの位置は、溝部１３の開放された側端部から突起部６３ｔの側面までの長さＧを、レンズ最大径の整数倍となるように設定されている。この状態で上部に位置する溝部１３の開放された側端部より、レンズ挿入器７１により溝部１３へレンズが連続して挿入される。この時、治具は傾斜しているため、レンズは自重で連続的に溝部１３へ流し込まれる。
【００４６】
図８は、レンズ挿入機７１の概略構造の図である。同図に示すように、レンズ筒７２の内部にレンズ２２が一列に並べられており、その先端には、レンズ係止レバー７３が軸７４により回動可能に軸止されている。このレンズ係止レバー７３はレンズ２２がレンズ筒７２からこぼれないように圧縮バネ７５により付勢されている。
【００４７】
このレンズ挿入機７１の先端の突起７１ｂを容器１１の溝部１３の底面に差し込み溝部１３とレンズ筒７２を接続し、次にレンズ係止レバー７３を圧縮バネ７５に抗して矢印Ａ方向に押圧する。これによりレンズ係止レバー７３は矢印Ｂ方向に回動し、レンズ２２は自重により、容器１１の溝部１３へ連続して挿入される。レンズ２２が、溝部内でＧ（図７参照）の長さ分だけ挿入されると、レンズはこれ以上収容できないため、レンズの流入は停止する。この後、レンズ係止レバー７３の押圧をやめると再度レンズ係止レバー７３はレンズ２２を図示のように側面から係止する。これが１本の溝部１３に対するレンズ挿入方法である。
【００４８】
なお、レンズ２２は自重で挿入されるよう構成したが空気圧等を利用または併用してもよいのは勿論である。
【００４９】
以上のレンズ挿入を容器の全ての溝部に対して行うことで容器１１にレンズ２２の収容、載置が完了する。この後、図２に示す閉塞部材２１を取り付け、更に図６及び図７に示す上面蓋６３を開き、容器１１を治具６１から取り外す。レンズの必要数がこの容器１個分だけであれば、レンズを載置していない容器１１を上部に積層して終了である。容器１１が複数枚必要なレンズ数量の場合は、各容器に上記のレンズ挿入を行い積層し、最後の上面にレンズを載置していない容器を積層すればよい。
【００５０】
即ち、溝部の上面を一時的に閉塞し、開放された溝部側端部からレンズを連続的に流し込むことにより短時間でレンズの収容が可能となり、作業性が向上し、ひいてはコストダウンが可能となる。また、治具及びレンズ挿入機を傾斜して使用して重力を利用し、特別の付勢力装置を用意しなくとも連続的なレンズの挿入を可能とでき、経済的である。
【００５１】
以下に、梱包形態を説明する。
図９は、レンズを載置した容器を多数積層し固定した状態を示す図である。最上段に空の容器を積層し、図１に示す４箇所のゴム掛け用の凹部１７に十文字に輪ゴムを掛けて固定する。各容器は、図１に示すボス１５の係合とこのゴムにより強固に固定される。
【００５２】
図１０は、輪ゴムで固定されたレンズ収納容器を複数収納する個装箱の例の図である。図では、レンズ収納容器３セットを、収納した状態を示している。この状態で移送してもよいし、さらに大量の場合は、この個装箱を複数収納する箱で梱包して移送してもよい。
【００５３】
【発明の効果】
以上説明したように、レンズを生産する側でレンズを収納容器へ収容する時は短時間で簡便に収容可能でコスト低減でき、移送先での人手に頼って取り出しをおこなう光学ユニット製造メーカー側では、個々のレンズが安定した姿勢で傷等の問題がなく、取り出しを容易にできるレンズ収納容器及びレンズ収納方法を得ることができた。
【図面の簡単な説明】
【図１】本発明のレンズを収容するトレイ状の容器の一例を示した図である。
【図２】容器にレンズが収容された状態を示す図である。
【図３】容器の溝部の要部断面拡大図である。
【図４】レンズを載置した容器と、同一の容器を積層した時のＨ−Ｈ線（図１参照）で切断した断面図である。
【図５】レンズを載置した容器と、同一の容器を積層した時のＶ−Ｖ線（図１参照）で切断した断面図である。
【図６】容器へレンズを載置するための治具の図である。
【図７】治具に容器が装填され上面蓋を閉じた状態の断面図である。
【図８】レンズ挿入機の概略構造の図である。
【図９】レンズを載置した容器を多数積層し固定した状態を示す図である。
【図１０】輪ゴムで固定されたレンズ収納容器を複数収納する個装箱の例の図である。
【符号の説明】
１１  容器
１３  溝部
１５  ボス
１６  角穴
１７  凹部
１８  Ｃ面
２１  閉塞部材
２２  レンズ
６１  治具
６２  治具本体
６３  上面蓋
６４  蝶番
７１  レンズ挿入機
７２  レンズ筒
７３  レンズ係止レバー
７５  圧縮バネ
【図１】
2004238001.tif 000003
【図２】
2004238001.tif 000004
【図３】
2004238001.tif 000005
【図４】
2004238001.tif 000006
【図５】
2004238001.tif 000007
【図６】
2004238001.tif 000008
【図７】
2004238001.tif 000009
【図８】
2004238001.tif 000010
【図９】
2004238001.tif 000011
【図１０】
2004238001.tif 000012